(57)【要約】  【課題】シートを組み立てた従来のクリップにおいは、組立に糊や接着剤などを使用するので、手で簡単に切り取ることのできる不断線部分と切り込みとをクリップ展開図に設けた携帯式クリップとしては不便でコスト高となるし、またクリップと用紙を重ねて一緒に折り曲げて用紙を留めるので、広告を表示するための面積が小さく、宣伝媒体として有効でない。【解決手段】表シート１と裏シート２からなり、表シート１と裏シート２を繋げて用紙挿入開放部７および用紙出口開放部８が形成され、用紙出口開放部８から表シート１が延出して、用紙出口開放部８で折り曲げられた用紙Ｐの角を留めるための差込部３を裏シート２に一つ以上設けて、用紙挿入開放部７から用紙Ｐを挿入した状態で表シート１の側から見て用紙Ｐの一部分が露出する指当部１ａを表シート１に一つ以上設けている。  【選択図】  図１
2007245698.tif 000002
【特許請求の範囲】
【請求項１】
表シート（１）と裏シート（２）からなり、表シート（１）と裏シート（２）を繋げて用紙挿入開放部（７）および用紙出口開放部（８）が形成され、用紙出口開放部（８）から表シート（１）が延出して、用紙出口開放部（８）で折り曲げられた用紙（Ｐ）の角を留めるための差込部（３）を裏シート（２）に一つ以上設けて、用紙挿入開放部（７）から用紙（Ｐ）を挿入した状態で表シート（１）の側から見て用紙（Ｐ）の一部分が露出する指当部（１ａ）を表シート（１）に一つ以上設けたことを特徴とするクリップ。
【請求項２】
表シート（１）と裏シート（２）からなり、表シート（１）と裏シート（２）を繋げて用紙挿入開放部（７）および用紙出口開放部（８）が形成され、表シート（１）と裏シート（２）が用紙出口開放部（８）から延出して、用紙出口開放部（８）で折り曲げられた用紙（Ｐ）の角を留めるための差込部（３）を裏シート（２）及び／または表シート（１）に一つ以上設けて、用紙挿入開放部（７）から用紙（Ｐ）を挿入した状態で表シート（１）あるいは裏シート（２）から見て用紙（Ｐ）の一部分が露出する指当部（１ａ）を表シート（１）及び／又は裏シート（２）に一つ以上設けたことを特徴とするクリップ。
【請求項３】
表シート（１）と裏シート（２）とからなり、表シート（１）と裏シート（２）とを繋げて用紙挿入開放部（７）および用紙出口開放部（８）を形成するために、表シート（１）の側縁と裏シート（２）の側縁を折線（４）を介して連接し、開放されている表シート（１）の側縁と裏シート（２）の側縁のどちらか一方に突片（６）を設け、突片（６）には差込片（１０）あるいは差込片（１０）を差し込むための差込部（１１）のどちらかを設けて、表シート（１）あるいは裏シート（２）には差込片（１０）あるいは差込部（１１）をそれぞれ対応して設け、表シート（１）及び／又は裏シート（２）が用紙出口開放部（８）から延出して、用紙出口開放部（８）で折り曲げられた用紙（Ｐ）の角を留めるための差込部（３）を裏シート（２）及び／又は前記表シート（１）に一つ以上設けたことを特徴とするクリップ。
【請求項４】
表シート（１）と裏シート（２）とからなり、表シート（１）と裏シート（２）とを繋げて用紙挿入開放部（７）および用紙出口開放部（８）を形成するために、表シート（１）の側縁と裏シート（２）の側縁を折線（４）を介して連接し、開放されている表シート（１）の側縁と裏シート（２）の側縁のどちらか一方に突片（６）を設け、突片（６）には差込片（１０）あるいは差込片（１０）を差し込むための差込部（１１）のどちらかを設け、表シート（１）あるいは裏シート（２）には差込片（１０）あるいは差込部（１１）をそれぞれ対応して設け、表シート（１）及び／又は裏シート（２）が用紙出口開放部（８）から延出して、用紙挿入開放部（８）から用紙（Ｐ）を挿入した状態で表シート（１）あるいは裏シート（２）から見て差し込む用紙（Ｐ）の一部分が露出する指当部（１ａ）を表シート（１）及び／又は裏シート（２）に一つ以上設け、用紙出口開放部（８）で折り曲げられた用紙（Ｐ）の角を留めるための差込部（３）を裏シート（２）及／又は前記表シート（１）に一つ以上設けたことを特徴とするクリップ。
【請求項５】
指当部（１ａ）が、切り欠け及び／又は穴で形成されていることを特徴とする請求項１または請求項２または請求項４に記載のクリップ。
【発明の詳細な説明】
【技術分野】
【０００１】
本発明は、用紙の角を折り曲げて用紙を留めるクリップで、かつ紙で作ってもクリップの機能を有するクリップに関するものである。
【背景技術】
【０００２】
用紙の角を折り曲げて留めるクリップであって、紙で作成してもクリップの機能を有する物は従来から多数の開示がある。（例えば、特許文献１・特許文献２・特許文献３・特許文献４・特許文献５・特許文献６・特許文献７・特許文献８などである。）
【特許文献１】ドイツ特許  第１０８５７２号
【特許文献２】スイス特許  第７６８１２号
【特許文献３】英国特許  第１３８９６２号
【特許文献４】ドイツ特許  第１７３２０４３Ｕ号
【特許文献５】オランダ特許  第１０１１０８６号
【特許文献６】特開２００１−１８０１６６
【特許文献７】オランダ特許  第１０１１５２６号
【特許文献８】オランダ特許  第１０１９７００号
【発明の開示】
【発明が解決しようとする課題】
【０００３】
特許文献１・特許文献５・特許文献７のクリップでは、組立て前のシート状のクリップを用紙に位置決めしてから、クリップと用紙とを重ねて一緒に組み立てながら用紙を留め、用紙の取り外しもクリップを分解しながら行なうので、用紙の留め外しが大変面倒であって、用紙の追加・削除・順番変更などに対しては時間が掛かってしまう。
【０００４】
特許文献２・特許文献３・特許文献４のクリップは、組み立てた状態で使用するものであるが、組立には糊や接着剤などを使用するので、手で簡単に切り取ることのできる不断線部分と切り込みとをクリップ展開図に設けた携帯式クリップとしては不便で、コスト高となるし、またクリップと用紙とを重ねて一緒に折り曲げて用紙を留めるので、名入れや広告などを表示するための面積がクリップの角では小さくなってしまい、宣伝媒体として有効でない。さらにこの種のクリップの構造において、宣伝用の表示面積を広くするためには、留める用紙の中央に向かってクリップを広くしなければならない。このように用紙の中央部に広げたクリップで留めた用紙はクリップで広く覆われてしまうので、開きにくくなってしまうし、用紙に書かれている内容も読みにくくなってしまう。
【０００５】
特許文献６のものは、クリップの角が袋状となっているので、用紙を留めるには大変に面倒であって、日常的に使うには大変に不便である。
特許文献８のものは、コーナー部を予め切り取ってしまっているので、角を十分に利用できず表示面積が狭くなる。このクリップで表示面積を広くするには、留める紙の中央に向かってクリップの表面を延ばす必要がある。このようにすると、クリップが用紙の角を大きく覆ってしまうので、用紙に印刷・記述されている内容が見にくくなってしまうし、留めた用紙は開きにくくもなってしまう。
【０００６】
そこで、角の表示面積が広く、留めた用紙が開きやすく、留めた用紙の記述部分が読みやすく、留め外しが簡単であって、しっかり留まり、かつ糊・接着剤・粘着剤などを使用せずに組み立てられるクリッフにするためにはどうしたらよいか色々考えた。従来の開示されているクリップで用紙の折り曲げ箇所を小さくしてみたが、表側の面積は広がるものの、折り曲げ部が小さくなりすぎて用紙がしっかり留らないことが分かった。色々試行錯誤した結果、次のことが分かった。クリップは折らずに用紙だけを折って用紙を留めれば、クリップの角の面積も十分に取れて宣伝媒体として有効で、かつ用紙の折り曲げ部分が大きくなるので用紙をしっかり留めることのできるクリップになると考えた。
【０００７】
このような前記課題に着目して本発明はなされたものであって、本発明の主目的は、次のような機能を持ったクリップの提供にある。そのクリップの機能とは、留めた用紙の記述内容が読みやすいこと、角の表示面積を最大限利用して優れた宣伝効果が発揮できること、留めた用紙が開きやすいこと、用紙の留め外しが簡単であること、糊や接着剤などを使用しないこと、紙やプラスチックのシートなどで作ることができる構造であること、などである。
【課題を解決するための手段】
【０００８】
請求項１に係わるクリップは、表シート１と裏シート２からなり、表シート１と裏シート２を繋げて用紙挿入開放部７および用紙出口開放部８が形成され、用紙出口開放部８から表シート１が延出して、用紙出口開放部８で折り曲げられた用紙Ｐの角を留めるための差込部３を裏シート２に一つ以上設けて、用紙挿入開放部７から用紙Ｐを挿入した状態で表シート１の側から見て用紙Ｐの一部分が露出する指当部１ａを表シート１に一つ以上設けている。
【０００９】
請求項２に記載のクリップは、表シート１と裏シート２からなり、表シート１と裏シート２を繋げて用紙挿入開放部７および用紙出口開放部８が形成され、表シート１と裏シート２が用紙出口開放部８から延出して、用紙出口開放部８で折り曲げられた用紙Ｐの角を留めるための差込部３を裏シート２及び／または表シート１に一つ以上設けて、用紙挿入開放部７から用紙Ｐを挿入した状態で表シート１あるいは裏シート２から見て用紙Ｐの一部分が露出する指当部１ａを表シート１及び／又は裏シート２に一つ以上設けている。
【００１０】
請求項３に記載のクリップは、表シート１と裏シート２とからなり、表シート１と裏シート２とを繋げて用紙挿入開放部７および用紙出口開放部８を形成するために、表シート１の側縁と裏シート２の側縁を折線４を介して連接し、開放されている表シート１の側縁と裏シート２の側縁のどちらか一方に突片６を設け、突片６には差込片１０あるいは差込片１０を差し込むための差込部１１のどちらかを設けて、表シート１あるいは裏シート２には差込片１０あるいは差込部１１をそれぞれ対応して設け、表シート１及び／又は裏シート２が用紙出口開放部８から延出して、用紙出口開放部８で折り曲げられた用紙Ｐの角を留めるための差込部３を裏シート２及び／又は前記表シート１に一つ以上設けている。
【００１１】
請求項４に記載のクリップは、表シート１と裏シート２とからなり、表シート１と裏シート２とを繋げて用紙挿入開放部７および用紙出口開放部８を形成するために、表シート１の側縁と裏シート２の側縁を折線４を介して連接し、開放されている表シート１の側縁と裏シート２の側縁のどちらか一方に突片６を設け、突片６には差込片１０あるいは差込片１０を差し込むための差込部１１のどちらかを設け、表シート１あるいは裏シート２には差込片１０あるいは差込部１１をそれぞれ対応して設け、表シート１及び／又は裏シート２が用紙出口開放部８から延出して、用紙挿入開放部８から用紙Ｐを挿入した状態で表シート１あるいは裏シート２から見て差し込む用紙Ｐの一部分が露出する指当部１ａを表シート１及び／又は裏シート２に一つ以上設け、用紙出口開放部８で折り曲げられた用紙Ｐの角を留めるための差込部３を裏シート２及／又は前記表シート１に一つ以上設けている。
請求項５に記載のクリップは、請求項１または請求項２または請求項４に記載のクリップにおいて、指当部１ａが、切り欠け及び／又は穴で形成されている。
【発明の効果】
【００１２】
請求項１・２・４・５に係わるクリップにおいては、クリップと用紙が指当部により簡単に分離されてクリップは折らずに留める用紙だけを折り曲げるために用紙の折り曲げ部分が大きくなるので、差し込み口に用紙をしっかり差し込むことができ、用紙はしっかり留まり、簡単に用紙の留め外しもできる。また、請求項１・２・４・５に係わるクリップにおいては、クリップを折らないので、用紙の中央に向かってクリップを広く延ばさなくても、印刷・書き込用の表示面積が広く確保でき、角を最大限利用した宣伝効果を発揮する優れた宣伝媒体として利用できる。さらに、請求項１・２・４・５に係わるクリップにおいては、用紙を覆う面積が小さくなるので、留めた用紙が開きやすく、用紙に記述された内容も十分に読みとることができる。請求項３・４に係わるクリップにおいては、糊や粘着剤などを使用せずにクリップを組み立てることができるので、利便性の高い低価格な携帯式クリップが提供できる。
【発明を実施するための最良の形態】
【００１３】
本発明の実施例を以下に図面で説明するが、それら図面に限定されるものではない。
【実施例１】
【００１４】
実施例１を、図１から図５に基づいて説明する。図１は実施例１のものの展開図で、紙で作られたものである。直角を成す側縁である二辺と他の一辺である底辺とからなる直角二等辺三角形をした表シート１の直角部の先端部分に小さく切り欠けを形成して指当部１ａを設け、底辺から同じ長さの折線４と折線５とを直角を成す左右のそれぞれの辺に沿って設けている。この折線４と折線５の長さは、留める用紙Ｐの折り曲げ部分がクリップＡにしっかり留まる長さとなっている。この折線５を介して長方形の突片６を設けている。直角を成す二辺のそれぞれの長さが折線４と同じ長さである直角二等辺三角形をその直角部が先端となるように帯状四辺形の両端に形成した六角形の裏シート２が表シート１と折線４で連接されている。折り曲げられた用紙の角を差し入れる差込部３を裏シート２のほぼ中央に湾曲切り込みにより設けている。
このクリップＡの組立について説明する。まず折線４と折線５を山折りし、突片６の裏側に糊を塗り、折線４を裏側に折り曲げて、裏シート２の端部と糊を付けた突片６とを重ねて表シート１と裏シート２を接続する。接続された表シート１と裏シート２とにより用紙挿入開放部７と用紙出口開放部８が形成される。図２は組み立てたクリップＡを表シート１側から見た時の斜視図で、図３はクリップＡを裏シート２側から見たときの斜視図である。
突片６は、裏シート２の先端部分に設けてもよい。また突片６の表側に糊を付けて、突片６を裏シート１の内側としてもよい。このようにすることで裏シート２側の表面に突片６が露出しないので、裏シート２を表側にして用紙Ｐを手前に折るようにしても使える。
【００１５】
図４・図５は、このクリップＡを用紙Ｐに留める方法を示している
図４は、用紙挿入開放部７に用紙Ｐを押し込んで、用紙Ｐがそれ以上進まない所までしっかり押し込んだ状態を示している。表シート１の直角部先端に形成した切り欠けからなる指当部１ａがあるので、差し込んだ用紙Ｐの角が目視できる。指当部１ａで目視できる用紙Ｐの先端を指で押して、表シート１と用紙Ｐとを分離し、用紙Ｐだけを曲げる。次にクリップＡを裏にする。裏シート２の用紙出口開放部８で用紙Ｐを手前にしっかりと折り曲げる。次に折り曲げられた用紙Ｐの先端部分を差込部３に差し込む。このときの用紙Ｐの折り曲げ部分の長さ大きさは折線４と折線５の長さにより決まることになる。さらに、用紙Ｐの先端部分は裏シート２の内側になっているので、この先端部分が他のものと接することがないので外れにくくなる。これで数枚の用紙ＰをクリップＡでしっかり留めたことになる。図５はその状態を裏シート２の側から見た図である。用紙Ｐの取替・削除・順番変更などでクリップＡを外す必要がでてくることもあり、このためには留め外しが簡単なものがよい。
クリップＡを用紙Ｐから外す場合を図５で説明する。差込部３から用紙Ｐを外して、クリップＡと用紙Ｐを引っ張れば簡単に外れる。
ここに示した実施例１においては、用紙の角を差し入れる差込部３が一つであるが、二つ以上あってもよい。用紙の厚いものにも対応できるように、裏シート２と表シート１とを繋げた時に折線４と折線５との近傍でかつそれぞれの折線に対して平行な折線を一つ以上設けてもよい。
【実施例２】
【００１６】
実施例２を、図６に基づいて説明する。この実施例２のものは、実施例１の物の指当部１ａを変更したものであってその他は同じである。すなわち表シート１の直角部の先端部分に円形の突片６ａを設けて、その突片６ａに穴を形成して指当部１ａを設けている。穴で作った指当部１ａは、フックなどに掛けてクリップＡを吊り下げることができる。
【実施例３】
【００１７】
実施例３を、図７と図８とに基づいて説明する。図８は、実施例１のものの表シート１の直角を形成している二つの辺の一方の側縁に突片９を設けてインデックスとして利用できるようにしたクリップＡで、裏シート２から見たときの斜視図である。図８はそのクリップＡに用紙Ｐを留めた状態を表シード１の側から見た斜視図である。用紙Ｐを留める手順は実施例１のものと同じである。
【実施例４】
【００１８】
実施例４を、図９と図１０に基づいて説明する。
図９は実施例４のものの展開図である。実施例４は、実施例１の突片６の形状を若干大きくしてその突片６に、左側に膨らんだ湾曲の切り込みを形成して差込片１０を設け、裏シート２の長辺と平行な切り込みを形成して裏シート２の先端近くに差込片１０を差し込む差込部１１を設けている。このようにすることで、糊や粘着剤や接着剤などを使わずに表シート１と裏シート２とを繋げることが出きるようになる。更に表シート１の側縁にも切り込みを設けて指当部１ａを設けている。
図１０は、組み立てた状態の実施例４のものを裏シート２側から見たときの斜視図である。このように組み立てると、用紙挿入開放部７側から裏シート２が押されても裏シート２の側縁が折線５に当たるので差込片１０と差込部１１とは外れることがない。用紙出口開放部８側から裏シート２が押されても差込片１０と差込部１１とは係り留めされていて外れることがない。この結果、組み立てられたクリップＡは、表シート１と裏シート２が外れることなく利用できる。
この実施例４のものでは、糊や接着剤や粘着剤などを使用する必要がないので、手で簡単に切り取ることのできる不断線部分と切り込みとをクリップ展開図に合わせて紙などのシートに設けておけば、使うときに不断線部分を切り取って組み立てて利用することが可能な低コストで利便性のよい携帯式クリップとなる。使い方は、実施例１のものと同じである。
【実施例５】
【００１９】
実施例５を、図１１・１２・１３・１４に基づいて説明する。実施例５のものは紙製で、表シート１と裏シート２とを別体としていて、かつ裏シート２を表側に利用する。
図１１は表シート１の展開図であって、その直角三角形の表シート１の折線４ａ、４ａと繋げる箇所から上の部分で全体的に僅かに切り欠けを形成して指当部１ａを設けている。図１２は、裏シート２の展開図であって、この裏シート２は台形で、この裏シート２の左右の側縁に突片６ａ、６ａが折線４ａ、４ａで連接されていて、折り曲げられた用紙の角を差し入れる差込部３をこの裏シート２のほぼ中央に湾曲した切り込みで設けている。図１３は組立後の実施例４のものを用紙挿入開放部７側でかつ表シート１側から見たときの斜視図である。図１４は、裏シート２を表側にして用紙出口開放部８で用紙を折って用紙を留めた状態である。
【実施例６】
【００２０】
実施例６を、図１５から図１８に基づいて説明する。図１５は実施例６の展開図である。実施例６は実施例１のものの変形であって、裏シート２を表シート１と同じ形状にして、更に、表シート１と裏シート２との用紙挿入開放部７に近い位置に折り曲げた用紙の角を差し入れる差込部３を湾曲切り込みにより設けている。また用紙出口開放部８を形成する折線４の端と折線５の端とを結ぶ折線５ａを表シート１に、裏シート２にも同じように折線５ｂを設けている。折線４から延長した方向に切り線５ｃを設けている。このようにすることで、表シート１と裏シート２とが同じ形状のものとなっている。
この実施例６の組立は、まず折線４と折線５とを山折りし、突片６の裏側に糊を塗り、折線４を裏側に折り曲げて、裏シート２の端部と糊を付けた突片６とを重ねて表シート１と裏シート２を接続する。
図１６は、組み立てた実施例６を表シート側から見たときの斜視図であって、用紙挿入開放部７側から見たものである。図１７は、組み立てられた実施例６を裏から見たときの斜視図であって、用紙出口開放部８側から見たものである。
図１８は、裏シート２と用紙Ｐとを重ねて一緒に折線５ｂで折り曲げて、次に折り曲げた部分を差込部３に差し込んだ状態を裏シート２側から見たときのものである。
この実施例６のものでは、利用する場合に裏表を考えずに利用できる利点もある。
【実施例７】
【００２１】
実施例７を、図１９と図２０に基づいて説明する。図１９は、実施例７のクリップの展開図である。実施例７は実施例４のものの変形であって、表シート１には指当部１ａをなくし表シート１の直角を形成している二つの辺の一方の側縁に突片９ａを設けてインデックスとして利用できるようにしている。裏シート２には、表シート１と連接している折線４とは反対側の先端部分に差込片１０を設けて、この差込片１０の根本の幅は差込部１１より僅かに大きくなっていて、更にその根本の左右には僅かに切り込み１０ａ、１０ａを設け、折線５により表シート１と連接している突片６には差込片１０を差し込むための差込部１１を設けている。
図２０は、実施例７の組み立てた状態を裏シート２から見たものである。組立は、はじめに折線５を手前に折り、次に折線４を手前に折る。そして、差込片１０を差込部１１に差し込む。差込片１０の根本にある左右の切り込み１０ａ、１０ａが切り込み１１に係り留めされるので抜けることがなくなる。このようになっているので、糊や接着剤や粘着剤などを使うこととなく、クリップが出来上がる。
用紙Ｐを留めるには、用紙ＰをクリップＡにしっかり差し込む。このクリップには指当部１ａがないので、突片９ａを手前に僅かに引いて用紙Ｐを分離する。後は他の実施例のクリップと同じである。
この実施例７のものでは、糊や接着剤や粘着剤などを使用する必要がないので、紙などのシートに、手で簡単に切り取ることのできる不断線部分と切り込みとをクリップ展開図に合わせて設けておけば、使うときに不断線部分を切り取ってクリップを組み立てて利用することが可能な低コストで利便性のよい携帯式クリップとなる。
用紙Ｐの留め方は、インデックスである突片９ａが用紙Ｐよりも大きくなっているので、用紙Ｐを挿入した後に、突片９ａに指をかけて表シート１と用紙Ｐを分離して、用紙Ｐだけを折り曲げて、折り曲げた角を差込部３に差し込む。
【００２２】
なお、本発明は前述した実施形態に限るものではなく、次のような変形実施が可能である。また、これらのクリップは色々な形状が可能であって、表シートを色々な形状にするとともに、色々な印刷が出きる。また紙シートばかりでなくプラスチックシートなどのシート状のものであればよいし、プラスチックなどであれば射出成形加工などで作ることも可能である。裏シートも色々な形状が可能であって、例えば、少し厚手の紙でクリップを作り、裏シートを更に大きく略Ｂ５判にすることで、Ｂ５判の簡易クリップボードが作成できるし、このクリップボードの右側にシートを連接して設ければファイルとしても利用できる。
表シートと裏シートとは一箇所で繋げられている例を記述したが、その繋げる箇所が二箇所以上あってもよい。繋げる方法は粘着剤・接着剤なども可能である。また差込片を差込部に差し込む方法においては、差込片や差込部などの形状や位置も色々なものが可能である。
裏シートの形状も色々変形できるものである。指当部は、挿入された用紙が表シートから見えるようになればよいので、指当部の切り欠けや穴などの形状を色々変化させても同じ様な効果が得られる。折り曲げた用紙の角を留めるための差込部である切り込みの形状も様々な形状が可能であって、また溝や穴などであってもよい。
【図面の簡単な説明】
【００２３】
【図１】実施例１の展開図である。
【図２】実施例１の組立後の斜視図である。
【図３】実施例１の組立後の裏からの斜視図である。
【図４】実施例１に用紙を挿入した表からの斜視図である。
【図５】実施例１に用紙を留めた状態を示す裏からの斜視図である。
【図６】実施例２の展開図である。
【図７】実施例３の組立後を示す裏からの斜視図である。
【図８】実施例３に用紙を挿入した表からの斜視図である。
【図９】実施例４の展開図である。
【図１０】実施例４の組立後を示す裏からの斜視図である。
【図１１】実施例５の表シートの展開図である。
【図１２】実施例５の裏シートの展開図である。
【図１３】実施例５の組立後を示す表シート側からの斜視図である。
【図１４】実施例５に用紙を留めた状態を示す裏シート側からの斜視図である。
【図１５】実施例６の展開図である。
【図１６】実施例６の組立後を示す表からの斜視図である。
【図１７】実施例６の組立後を示す裏からの斜視図である。
【図１８】実施例６に用紙を留めた状態を示す裏からの斜視図である。
【図１９】実施例７の展開図である。
【図２０】実施例７の組立後を示す裏からの図である。
【符号の説明】
【００２４】
Ａクリップ  Ｐ用紙  １表シート  １ａ指当部  ２裏シート  ３差込部  ４折線
４ａ折線  ５折線  ５ａ折線  ５ｂ折線  ５ｃ切り線  ６突片  ６ａ突片
６ｂ突片  ７用紙挿入開放部  ８用紙出口開放部  ９突片  ９ａ突片
１０差込片  １０ａ切り込み  １１差込部
【図１】
2007245698.tif 000003
【図２】
2007245698.tif 000004
【図３】
2007245698.tif 000005
【図４】
2007245698.tif 000006
【図５】
2007245698.tif 000007
【図６】
2007245698.tif 000008
【図７】
2007245698.tif 000009
【図８】
2007245698.tif 000010
【図９】
2007245698.tif 000011
【図１０】
2007245698.tif 000012
【図１１】
2007245698.tif 000013
【図１２】
2007245698.tif 000014
【図１３】
2007245698.tif 000015
【図１４】
2007245698.tif 000016
【図１５】
2007245698.tif 000017
【図１６】
2007245698.tif 000018
【図１７】
2007245698.tif 000019
【図１８】
2007245698.tif 000020
【図１９】
2007245698.tif 000021
【図２０】
2007245698.tif 000022